(57)【要約】【課題】低温下においても電池の負担を軽減しながら、測位衛星からの電波を受信する動作を実行する。【解決手段】ＧＰＳ受信処理部50及びアンテナ51と、計時動作を実行する計時回路46と、ＧＰＳ受信処理部50で得た日時情報により計時回路46の計時内容を補正し、電源部53の電池の温度を温度測定部91で測定させ、電源部53で電池の電圧を測定させて、それら各測定結果に応じてＧＰＳ受信処理部50の受信動作を制御するＣＰＵ41とを備える。【選択図】      図１
2019060674.tif 000002
【特許請求の範囲】
【請求項１】
測位衛星からの電波を受信する受信手段と、
計時動作を実行する計時手段と、
上記受信手段で受信した上記測位衛星からの電波に含まれている日時情報に応じて上記計時手段の計時内容を補正する補正手段と、
電源となる電池の温度を測定する温度測定手段と、
上記電池の電圧を測定する電圧測定手段と、
上記温度測定手段及び上記電圧測定手段の各測定結果に応じて上記受信手段での受信動作を制御する制御手段と、
を備える電波時計。
【請求項２】
上記制御手段は、上記温度測定手段で測定した測定結果に応じて上記受信手段で消費される電流値を小さくする制御を行なう、請求項１記載の電波時計。
【請求項３】
上記制御手段は、上記温度測定手段で測定した温度に応じて予め設定された電圧と、上記電圧測定手段で測定した電圧との比較結果により上記受信手段での受信動作を制御する、請求項１記載の電波時計。
【請求項４】
上記制御手段は、上記温度測定手段で測定した温度に応じて予め設定された電圧より、上記電圧測定手段で測定した電圧が低い場合、上記受信手段での受信動作を停止する、請求項１乃至３いずれか記載の電波時計。
【請求項５】
上記制御手段は、上記温度測定手段で測定した温度と予め設定された閾値温度との比較結果により上記受信手段での受信動作を制御する、請求項１乃至４いずれか記載の電波時計。
【請求項６】
上記制御手段は、上記受信手段での測位衛星からの電波の探索時及び捕捉時それぞれの動作周波数、対象衛星範囲、動作時間、及び受信信号を増幅する増幅器の増幅率の少なくとも１つを制御する、請求項１乃至３いずれか記載の電波時計。
【請求項７】
上記制御手段は、上記受信手段で測位衛星からの電波を受信して日時情報のみを取得する場合と、日時情報及び位置情報の双方を取得する場合とを区別して、上記受信手段での受信動作を制御する、請求項１乃至６いずれか記載の電波時計。
【請求項８】
測位衛星からの電波を受信する受信部と、計時動作を実行する計時部と、上記受信部で受信した上記測位衛星からの電波に含まれている日時情報に応じて上記計時部の計時内容を補正する補正部とを備えた電波時計の制御方法であって、
電源となる電池の温度を測定する温度測定工程と、
上記電池の電圧を測定する電圧測定工程と、
上記温度測定工程及び上記電圧測定工程の各測定結果に応じて上記受信部での受信動作を制御する制御工程と、
を有する電波時計の制御方法。
【請求項９】
測位衛星からの電波を受信する受信部と、計時動作を実行する計時部と、上記受信部で受信した上記測位衛星からの電波に含まれている日時情報に応じて上記計時部の計時内容を補正する補正部とを備えた電波時計が内蔵するコンピュータが実行するプログラムであって、上記コンピュータを、
電源となる電池の温度を測定する温度測定手段、
上記電池の電圧を測定する電圧測定手段、及び
上記温度測定手段及び上記電圧測定手段の各測定結果に応じて上記受信部での受信動作を制御する制御手段、
として機能させるプログラム。
【発明の詳細な説明】
【技術分野】
【０００１】
本発明は、測位衛星からの電波を受信して情報を取得する電波時計、電波時計の制御方法及びプログラムに関する。
【背景技術】
【０００２】
電池残量に応じて、ＧＰＳ（Ｇｌｏｂａｌ  Ｐｏｓｉｔｉｏｎｉｎｇ  Ｓｙｓｔｅｍ：全地球測位システム）測位動作を含む負荷を制限することで、通常の計時表示をできる限り長期間継続できるようにした電子時計の技術が提案されている。（例えば、特許文献１）
【先行技術文献】
【特許文献】
【０００３】
【特許文献１】特開２０１３−１８１９１５号公報
【発明の概要】
【発明が解決しようとする課題】
【０００４】
上記特許文献に記載された技術を含めて、電源容量が制限されている電池を用いた電子腕時計に関する各種の技術が提案されている。
【０００５】
一般に腕時計に使用される電源であるボタン型電池は、負荷特性が低く、流せる電流量に制限がある。そのため、ＧＰＳ測位機能を有する腕時計において、ＧＰＳ測位を実行する場合には特に大きな電流が必要となり、電池にとっては大きな負担となる。
【０００６】
また一般的に、電池は常温よりも低温下で負荷特性が悪化するものであり、低温下では流すことができる電流がさらに制限されることになる。
【０００７】
本発明は上記のような実情に鑑みてなされたもので、その目的とするところは、低温下においても電池の負担を軽減しながら、測位衛星からの電波を受信する動作を実行することが可能なサーバ装置及びプログラムを提供することにある。
【課題を解決するための手段】
【０００８】
本発明の一態様は、電波時計であって、測位衛星からの電波を受信する受信手段と、計時動作を実行する計時手段と、上記受信手段で受信した上記測位衛星からの電波に含まれている日時情報に応じて上記計時手段の計時内容を補正する補正手段と、電源となる電池の温度を測定する温度測定手段と、上記電池の電圧を測定する電圧測定手段と、上記温度測定手段及び上記電圧測定手段の各測定結果に応じて上記受信手段での受信動作を制御する制御手段と、を備える。
【発明の効果】
【０００９】
本発明によれば、低温下においても電池の負担を軽減しながら、測位衛星からの電波を受信する動作を実行することが可能となる。
【図面の簡単な説明】
【００１０】
【図１】本発明の一実施形態に係る電子時計の機能構成を示すブロック図。
【図２】同実施形態に係る温度測定とＧＰＳ受信の処理内容を抽出して示すフローチャート。
【図３】同実施形態に係る測定温度と対応する電池電圧のテーブルの構成を例示する図。
【発明を実施するための形態】
【００１１】
以下、本発明の一実施形態を図面を参照して説明する。  
図１は、本実施形態に係る電子時計１の機能構成を示すブロック図である。この電子時計１は、測位衛星からの電波を受信して利用可能な電波時計である。
【００１２】
電子時計１は、ＣＰＵ４１、ＲＯＭ４２、ＲＡＭ４３、発振回路４４、分周回路４５、計時回路４６、操作部４７、標準電波受信部４８及びそのアンテナ４９、ＧＰＳ受信処理部５０及びそのアンテナ５１、駆動回路５２、電源部５３、秒針６１、分針６２、時針６３、日車６４、機能指針６５、輪列機構７１〜７４、ステッピングモータ８１〜８４、温度測定部９１などを備える。以降、秒針６１、分針６２、時針６３、日車６４及び機能指針６５の一部または全部をまとめて指針６１〜６５などとも記述する。
【００１３】
ＣＰＵ４１は、各種演算処理を行ない、また電子時計１の全体の動作を統括制御する。ＣＰＵ４１は、日時の表示に係る指針動作を制御すると共に、標準電波受信部４８を動作させて受信データを取得して日時を算出する。またＣＰＵ４１は、得られた日時データに基づいて、計時回路４６の計数する日時を修正する。
【００１４】
ＲＯＭ４２は、ＣＰＵ４１により実行される各種制御用のプログラム４２１や設定データを格納する。プログラム４２１には、例えばＧＰＳ受信開始時の機能制限を行なう動作制御用のプログラムも含まれている。
【００１５】
ＲＡＭ４３は、ＣＰＵ４１の作業用のメモリ空間を提供し、一時的にデータを記憶する。
【００１６】
発振回路４４は、水晶発振器を備え、所定の周波数信号を生成して出力する。  
分周回路４５は、発振回路４４から出力された周波数信号を、ＣＰＵ４１や計時回路４６により利用される周波数の信号に分周して出力する。出力される信号の周波数は、ＣＰＵ４１からの制御信号により変更可能に設定されていても良い。
【００１７】
計時回路４６は、所定の日時を示す初期値に分周回路４５から入力される分周信号を計数して加算することにより、現在の日時を計数する。この計時回路４６の計数する日時は、ＣＰＵ４１からの制御信号により修正可能となる。
【００１８】
操作部４７は、ユーザからの入力操作を受け付ける。操作部４７には、押しボタンスイッチや回転スイッチが含まれる。
【００１９】
標準電波受信部４８は、アンテナ４９を用いて長波長帯の電波（標準電波）を受信して、振幅変調された標準電波の時刻信号出力（ＴＣＯ）を復調し、ＣＰＵ４１に出力する。
【００２０】
標準電波受信部４８による長波長帯の同調周波数は、ＣＰＵ４１の制御により受信対象の標準電波送信局からの送信周波数によって変更される。また、標準電波受信部４８は、受信感度を向上させるための各種処理を行ない、アナログ信号を所定のサンプリング周波数でデジタル化してＣＰＵ４１に出力する。
【００２１】
ＧＰＳ受信処理部５０は、アンテナ５１を用いて測位衛星から送信されているＬ１帯（１．５７５４２［ＧＨｚ］）の電波を受信し、当該測位衛星からの信号（航法メッセージ）を復調、復号して日時情報や位置情報を取得する。取得された情報は、例えばＮＭＥＡ−０１８２（Ｎａｔｉｏｎｌ  Ｍａｒｉｎｅ  Ｅｌｅｃｔｒｏｎｉｃｓ  Ａｓｓｏｃｉａｔｉｏｎｓ）の規格などに基づいて設定されたフォーマットでＣＰＵ４１に出力される。
【００２２】
ＧＰＳ受信処理部５０は、当該取得対象の情報や出力のフォーマットに係る設定などをＣＰＵ４１から受信して記憶する。またＧＰＳ受信処理部５０は、測位衛星から取得された当該測位衛星の予測軌道情報を記憶し、受信の際に必要に応じて読み出して利用することができる。またＧＰＳ受信処理部５０には、指定された位置に応じたタイムゾーンや夏時間情報を取得するためのタイムゾーン対応テーブル５０２ｄが記憶されている。
【００２３】
また上記ＧＰＳ受信処理部５０は、さらにＧＬＯＮＡＳＳ（ＧＬＯｖａｌ  ＮＡｖｉｇａｔｉｏｎ  Ｓａｔｅｌｌｉｔｅ  Ｓｙｓｔｅｍ：全地球航法衛星システム）や我が国のＱＺＳＳ（Ｑｕａｓｉ−Ｚｅｎｉｔｈ  Ｓａｔｅｌｌｉｔｅ  Ｓｙｓｔｅｍ：準天頂衛星システム）に対応し、それらの衛星からの到来電波を合わせて受信可能としても良い。
【００２４】
駆動回路５２は、ＣＰＵ４１から制御信号が入力されて、当該制御信号に応じたステッピングモータ８１〜８４に適切なタイミングで駆動信号を出力して当該ステッピングモータ８１〜８４を回転駆動する。駆動回路５２では、ＣＰＵ４１から入力される設定に基づいて駆動信号のパルス幅や駆動電圧を適宜調整可能となっている。
【００２５】
また、一度な大きな負荷をかけないために複数のステッピングモータが同時に駆動される制御信号が入力された場合、駆動回路５２は、これらの駆動タイミングを互いに重ならない微小間隔でずらして順番にこれらのステッピングモータを回転駆動させることができる。
【００２６】
電源部５３は、各部の動作に係る電力を所定電圧で供給する。電源部５３は、バッテリを備え、このバッテリとしては、例えば交換可能なボタン型の乾電池が用いられる。あるいはバッテリとして、ソーラパネルと二次電池とが用いられても良い。また電源部５３から複数の異なる電圧が出力される場合には、例えば、スイッチング電源などを用いて所定の電圧に変換して出力可能な構成とすることができる。
【００２７】
加えて電源部５３は、上記バッテリの制御を目的として、バッテリの発生電圧を測定する電圧測定手段を内蔵している。
【００２８】
ステッピングモータ８１は、複数の歯車の配列である輪列機構７１を介して秒針６１を回転動作させる。ステッピングモータ８１が１回駆動されると、秒針６１は１ステップで６°回転し、ステッピングモータ８１の６０回の動作により文字盤上で１周する。
【００２９】
ステッピングモータ８２は、輪列機構７２を介して分針６２及び時針６３を回転動作させる。輪列機構７２は、時針６３を分針６２に連動して回転させる構成であり、分針６２を１０秒に１回の頻度で１°ずつ回転移動させると共に時針６３を１／１２°ずつ回転移動させる。
【００３０】
ステッピングモータ８３は、輪列機構７３を介して日車６４を回転動作させる。日車６４は、特には限られないが、電子時計１の指針表示用の文字盤下方（裏側）に指針表示用文字盤に平行に回転自在に設けられている。文字盤には開口部が設けられている一方、日車６４の当該開口部と対向する円周上に１日〜３１日の各日を示す標識が設けられて、日車６４の回転動作に伴っていずれか１つの標識が開口部から露出される。ステッピングモータ８３が１回駆動されると、日車６４は１ステップ分の角度回転移動し１５０ステップの回転移動により「３６０／３１」°の回転が生じて、文字盤の開口部から露出される日付標識が１日分変化する。そして、日車６４が３１日分回転移動すると、再び最初の日付を示す日付標識が開口部から露出されることになる。
【００３１】
ステッピングモータ８４は、輪列機構７４を介して機能指針６５を回転動作させる。機能指針６５は、特には制限されないが、例えば、秒針６１、分針６２、時針６３及び日車６４とは異なる回転軸の周りを回転し、日時表示以外の内容、またはその種別の表示に用いられる。輪列機構７４は、例えばステッピングモータ８４の１回の回転に対して機能指針６５を「３６０／(表示機能数)」°回転させる。
【００３２】
温度測定部９１は、上記電源部５３内のバッテリ近傍に設置される温度センサと、そのセンサ出力をデジタル値の温度データ化してＣＰＵ４１に出力するＡ／Ｄ変換回路とを有する。
【００３３】
また特に、上記電源部５３内のバッテリをリチウムイオン二次電池で構成している場合は、当該リチウムイオン二次電池が内蔵する制御回路内に、温度センサとそのセンサ出力をデジタル化して出力する回路とが含まれるため、上記温度測定部９１の構成を省略しても良い。
【００３４】
次に上記実施形態の動作について説明する。  
図２は、ＣＰＵ４１が計時動作の制御と共に実行する、温度測定とＧＰＳ受信開始時の判定の処理内容を抽出して示すフローチャートである。
【００３５】
その当初にＣＰＵ４１は、予め設定された温度測定タイミングとなったか否かを、例えば前回温度を測定してから１０［分］経過したか否かにより判断する（ステップＳ１０１）。この予め設定された温度測定タイミングは、その時計の機種等に応じて固定的に設定される。
【００３６】
ここで予め設定された温度測定タイミングとはなっておらず、まだ前回温度を測定してから一定時間が経過していないと判断した場合（ステップＳ１０１のＮｏ）、ＣＰＵ４１は次に、ＧＰＳ受信処理部５０を用いたＧＰＳ衛星からの受信を開始するか否かを判断する（ステップＳ１０２）。
【００３７】
このＧＰＳ衛星からの電波の受信の開始の判断は、予め設定された受信時間となったか否かに加えて、この電子時計１を装着しているユーザが操作部４７で必要な押しボタンスイッチが操作することによる、手動操作があった場合も考慮して判断する。
【００３８】
ＧＰＳ衛星からの電波の受信を開始しないと判断した場合（ステップＳ１０２のＮｏ）、ＣＰＵ４１は再び上記ステップＳ１０１からの処理に戻る。
【００３９】
こうしてステップＳ１０１，Ｓ１０２の処理を繰返し実行することにより、ＣＰＵ４１は通常の計時動作と平行して、温度を測定するタイミングとなるか、ＧＰＳ衛星からの電波の受信を開始する状態となるのを待機する。
【００４０】
上記ステップＳ１０１において、前回温度を測定してから１０［分］経過し、予め設定された温度測定タイミングとなったと判断した場合（ステップＳ１０１のＹｅｓ）、ＣＰＵ４１は温度測定部９１による温度測定を実行させる（ステップＳ１０３）。
【００４１】
ＣＰＵ４１は、温度測定部９１から得た温度情報をＲＡＭ４３に更新記憶させた上で（ステップＳ１０４）、再び上記ステップＳ１０１からの待機動作に戻る。したがって、ＲＡＭ４３には常に一定時間以内の直近の測定温度情報が記憶され続けることとなる。
【００４２】
また上記ステップＳ１０２において、予め設定された受信時間となるか、あるいは操作部４７で押しボタンスイッチが手動操作されることにより、ＧＰＳ衛星からの電波の受信を開始すると判断した場合（ステップＳ１０２のＹｅｓ）、ＣＰＵ４１は電源部５３により内部バッテリの発生電圧を測定させる（ステップＳ１０５）。
【００４３】
ＣＰＵ４１は、ＲＡＭ４３に記憶される直近の測定温度の情報を読み出すと共に、ＲＯＭ４２に記憶されている、バッテリの温度帯域毎の電池電圧対応テーブルから測定温度情報に対応する電圧値を取得して、上記ステップＳ１０５で測定した電圧値が、対応する温度帯域の電池電圧より高いか否かを判断する（ステップＳ１０６）。
【００４４】
図３は、このときＣＰＵ４１がＲＯＭ４２から読み出す、テーブルの構成を例示する図である。ここでは、この電子時計１の動作保証温度帯域が、例えば−２０［℃］〜６０［℃］であり、当該温度帯域を５［℃］毎に区分した分割温度帯域毎に、ＧＰＳ衛星からの電波の受信動作にかかる演算処理を実行したとしても、当該バッテリに負担がかからないと考えられる最低電圧値が設定されているものとする。
【００４５】
当然ながら、温度帯域が低くなる程、同じバッテリの消耗状態等であっても、バッテリの発生電圧は低下し、大電流での駆動による負担が増大することとなる。したがって、ＧＰＳ衛星からの電波の受信動作を保証するために最低必要であるとする電圧値は、温度帯域の低下に伴って、より高い電圧値となるものとして設定することで、バッテリが与えられる処理の負担に耐え得るような状況を判断することが可能となる。
【００４６】
上記ステップＳ１０６において、測定により得た電圧値が、上記図３のテーブルで対応する温度帯域の電池電圧以下であると判断した場合（ステップＳ１０６のＮｏ）、ＣＰＵ４１はＧＰＳ衛星からの電波の受信を行なわず停止するものとして設定した上で（ステップＳ１０７）、再び上記ステップＳ１０１からの処理に戻る。
【００４７】
また上記ステップＳ１０６において、測定により得た電圧値が、上記図３のテーブルで対応する温度帯域の電池電圧より高いと判断した場合（ステップＳ１０６のＹｅｓ）、ＣＰＵ４１はＧＰＳ衛星からの電波の受信を開始するものとして、次に直近の測定温度が、予め設定された低温閾値温度、例えば「(＋)５［℃］」より低いか否かを判断する（ステップＳ１０８）。
【００４８】
ここで直近の測定温度が予め設定された低温閾値温度より低いと判断した場合（ステップＳ１０８のＹｅｓ）、ＣＰＵ４１はバッテリの負担を軽減するべく、小電流でのＧＰＳ衛星からの電波の受信を開始するよう、ＧＰＳ受信処理部５０での受信動作に係る電流値を制限する小電流受信設定を行なう（ステップＳ１０９）。
【００４９】
ここで小電流受信設定によりＧＰＳ衛星からの電波の受信を開始するに当たっては、例えば、ＧＰＳ衛星サーチ時の動作クロックの低減、同サーチ時の探索対象とするチャンネル数の低減、同サーチ時のタイムアウト判断時間の低減、トラッキング時の動作クロックの低減、同トラッキング時の捕捉対象とするチャンネル数の低減、全体のタイムアウト時間の低減、及びＧＰＳ受信処理部５０内の高周波側で用いるＬＮＡ（低ノイズ増幅器）でのゲイン制御（増幅率）の低減等が挙げられる。
【００５０】
ＣＰＵ４１は、これらの項目の内、少なくとも１つ、あるいは測定温度の帯域に応じて段階的に複数の項目を組み合わせるものとして、ＧＰＳ受信処理部５０で消費される電流値が小さくなるように、ＧＰＳ受信処理部５０での受信動作にかかる電流値を制限するべく設定する。
【００５１】
また上記ステップＳ１０８において、直近の測定温度が予め設定された低温閾値温度以上であると判断した場合には（ステップＳ１０８のＮｏ）、バッテリが負担に対する十分な余裕を有する状態であるため、上述したようなＧＰＳ受信処理部５０での受信動作にかかる電流値の制限を解除して、通常の受信動作とするべく設定する（ステップＳ１１０）。
【００５２】
その後にＣＰＵ４１は、上記ステップＳ１０９またはステップＳ１１０による受信設定内容に対応してＧＰＳ衛星からの電波をアンテナ５１、ＧＰＳ受信処理部５０により受信する動作を開始させた上で（ステップＳ１１１）、再び上記ステップＳ１０１からの処理に戻る。
【００５３】
ＧＰＳ衛星からの電波の受信により正確な現在の日時情報が取得されると、ＣＰＵ４１はその日時情報に基づいて計時回路４６が計時している内容を補正する。
【００５４】
以上詳述した如く本実施形態によれば、低温下においても電池の負担を軽減しながら、測位衛星からの電波を受信する動作を実行することが可能となる。
【００５５】
なお上記実施形態では、温度測定部９１で測定した直近の温度が属する温度帯域に対応した、基準とする電圧値を予め設定しておき、その電圧値と、実際に測定により得たバッテリの電圧値とを比較することにより、比較結果によっては受信動作を停止するものとしたので、低温下におけるバッテリの負担をより確実に軽減できる。
【００５６】
また上記実施形態では、直近の測定温度が予め設定された低温閾値温度より低い場合には、ＧＰＳ受信処理部５０での受信動作の少なくとも一部動作を抑制するものとして、バッテリに係る負担を軽減するべく動作制限するものとしたので、上記バッテリの電圧測定による制御と合わせて、低温下におけるバッテリの負担をより確実に軽減できる。
【００５７】
なお上記実施形態では、ＧＰＳ受信処理部５０での受信動作に関して、主として日時情報を取得する場合についてのみ説明したが、本発明はこれに限ることなく、例えば、簡易ナビゲーション機能を実行可能なウェアラブルデバイスであるアウトドア用のリスト端末や、ＧＰＳロガー機能を有するランニング用ウォッチなどにおいて、日時情報のみを取得する場合と、日時情報及び位置情報を共に取得する場合とを区別して認識し、それぞれの場合に応じて処理演算量の相違からバッテリの負担を考慮して、必要により受信動作を制限するものとしても良い。  
このような動作制御を行なうことで、バッテリの負担を軽減すると共に、バッテリの消耗を抑えて、動作可能な時間を延長することができる。
【００５８】
その他、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００５９】
以下に、本願出願の当初の特許請求の範囲に記載された発明を付記する。  
［請求項１］  
測位衛星からの電波を受信する受信手段と、  
計時動作を実行する計時手段と、  
上記受信手段で受信した上記測位衛星からの電波に含まれている日時情報に応じて上記計時手段の計時内容を補正する補正手段と、  
電源となる電池の温度を測定する温度測定手段と、  
上記電池の電圧を測定する電圧測定手段と、  
上記温度測定手段及び上記電圧測定手段の各測定結果に応じて上記受信手段での受信動作を制御する制御手段と、  
を備える電波時計。  
［請求項２］  
上記制御手段は、上記温度測定手段で測定した測定結果に応じて上記受信手段で消費される電流値を小さくする制御を行なう、請求項１記載の電波時計。  
［請求項３］  
上記制御手段は、上記温度測定手段で測定した温度に応じて予め設定された電圧と、上記電圧測定手段で測定した電圧との比較結果により上記受信手段での受信動作を制御する、請求項１記載の電波時計。  
［請求項４］  
上記制御手段は、上記温度測定手段で測定した温度に応じて予め設定された電圧より、上記電圧測定手段で測定した電圧が低い場合、上記受信手段での受信動作を停止する、請求項１乃至３いずれか記載の電波時計。  
［請求項５］  
上記制御手段は、上記温度測定手段で測定した温度と予め設定された閾値温度との比較結果により上記受信手段での受信動作を制御する、請求項１乃至４いずれか記載の電波時計。  
［請求項６］  
上記制御手段は、上記受信手段での測位衛星からの電波の探索時及び捕捉時それぞれの動作周波数、対象衛星範囲、動作時間、及び受信信号を増幅する増幅器の増幅率の少なくとも１つを制御する、請求項１乃至３いずれか記載の電波時計。  
［請求項７］  
上記制御手段は、上記受信手段で測位衛星からの電波を受信して日時情報のみを取得する場合と、日時情報及び位置情報の双方を取得する場合とを区別して、上記受信手段での受信動作を制御する、請求項１乃至６いずれか記載の電波時計。  
［請求項８］  
測位衛星からの電波を受信する受信部と、計時動作を実行する計時部と、上記受信部で受信した上記測位衛星からの電波に含まれている日時情報に応じて上記計時部の計時内容を補正する補正部とを備えた電波時計の制御方法であって、  
電源となる電池の温度を測定する温度測定工程と、  
上記電池の電圧を測定する電圧測定工程と、  
上記温度測定工程及び上記電圧測定工程の各測定結果に応じて上記受信部での受信動作を制御する制御工程と、  
を有する電波時計の制御方法。  
［請求項９］  
測位衛星からの電波を受信する受信部と、計時動作を実行する計時部と、上記受信部で受信した上記測位衛星からの電波に含まれている日時情報に応じて上記計時部の計時内容を補正する補正部とを備えた電波時計が内蔵するコンピュータが実行するプログラムであって、上記コンピュータを、  
電源となる電池の温度を測定する温度測定手段、  
上記電池の電圧を測定する電圧測定手段、及び  
上記温度測定手段及び上記電圧測定手段の各測定結果に応じて上記受信部での受信動作を制御する制御手段、  
として機能させるプログラム。
【符号の説明】
【００６０】
１…電子時計
４１…ＣＰＵ
４２…ＲＯＭ
４２１…プログラム
４３…ＲＡＭ
４４…発振回路
４５…分周回路
４６…計時回路
４７…操作部
４８…標準電波受信部
４９…アンテナ
５０…ＧＰＳ受信処理部
５０２ｄ…タイムゾーン対応テーブル
５１…アンテナ
５２…駆動回路
５３…電源部
６１…秒針
６２…分針
６３…時針
６４…日車
６５…機能指針
７１〜７４…輪列機構
８１〜８４…ステッピングモータ
９１…温度測定部
【図１】
2019060674.tif 000003
【図２】
2019060674.tif 000004
【図３】
2019060674.tif 000005